(57)【要約】【課題】悪戯などによって通常運転から保守点検運転に切り替えられるのを防止できるエレベーターの保守点検システムの提供。【解決手段】上記課題は、エレベーターの乗りかごを昇降させる制御を行う制御装置４と、この制御装置４を監視する監視装置５と、この監視装置５に通信回線６を介して接続される遠隔監視施設７に設置した端末装置８と、エレベーター設置現場にて保守点検運転モードに切り替えるための第１切り替え手段９と、遠隔監視施設７にて保守点検運転モードに切り替えるための第２切り替え手段１０とを含み、第１切り替え手段９による第１運転モード切り替え指令と第２切り替え手段１０による第２運転モード切り替え指令との両指令が、制御装置４に入力された場合に、保守点検運転モードによる運転を可能とすることで、解決できる。【選択図】図１
2005306494.tif 000002
【特許請求の範囲】
【請求項１】
エレベーターの乗りかごを昇降させる制御を少なくとも行う制御装置と、この制御装置を監視する監視装置と、この監視装置に通信回線を介して接続される遠隔監視施設に設置した端末装置と、エレベーター設置現場にて保守点検運転モードに切り替えるための第１切り替え手段と、前記遠隔監視施設にて保守点検運転モードに切り替えるための第２切り替え手段とを含み、前記第１切り替え手段による第１運転モード切り替え指令と前記第２切り替え手段による第２運転モード切り替え指令との両指令が、前記制御装置に入力された場合に、保守点検運転モードによる運転を実行する構成にしたことを特徴とするエレベーターの保守点検システム。
【請求項２】
前記第１切り替え手段を、前記乗りかごに設置した保守点検モード切り替えスイッチの操作をオンすることで、前記第１運転モード切り替え指令が前記制御装置に入力される構成とし、しかも、前記第２切り替え手段を、前記遠隔監視施設に設置した端末装置を操作することで、前記第２運転モード切り替え指令が前記通信回線及び前記監視装置を介して前記制御装置に入力される構成としたことを特徴とする請求項１記載のエレベーターの保守点検システム。
【請求項３】
前記保守点検モード切り替えスイッチを収納するスイッチボックスと、このスイッチボックスの開閉蓋を施錠する鍵を設け、この鍵によって前記開閉蓋を開いた状態にしたとき、前記保守点検モード切り替えスイッチを操作できるようにしたことを特徴とする請求項２記載のエレベーターの保守点検システム。
【請求項４】
前記第１切り替え手段を、前記乗りかごに設置したエレベーター運転盤を特殊操作することで、前記第１運転モード切り替え指令が前記制御装置に入力される構成とし、しかも、前記第２切り替え手段を、前記遠隔監視施設に設置した端末装置を操作することで、前記第２運転モード切り替え指令が前記通信回線及び前記監視装置を介して前記制御装置に入力される構成としたことを特徴とする請求項１記載のエレベーターの保守点検システム。
【請求項５】
前記第１切り替え手段を、前記乗りかごに設置した保守点検モード切り替えスイッチの操作をオンすること若しくは前記乗りかごに設置したエレベーター運転盤を特殊操作することで、前記第１運転モード切り替え指令が前記制御装置に入力される構成とし、しかも、前記第２切り替え手段を、保守点検日に、前記遠隔監視施設に設置した端末装置から前記第２運転モード切り替え指令が、前記通信回線及び前記監視装置を介して前記制御装置に自動的に入力される構成としたことを特徴とする請求項１記載のエレベーターの保守点検システム。
【発明の詳細な説明】
【技術分野】
【０００１】
本発明は、エレベーターの保守点検システムに関するものである。
【背景技術】
【０００２】
一般に、エレベーターの保守点検を行う場合には、エレベーター保守会社の保守技術者がエレベーターの設置現場に出向き、エレベーターの運転を通常運転から保守点検運転（保守点検運転モード）に切り替えて、保守点検作業を実施するようにしていた。そして、エレベーターの運転を、通常運転から保守点検運転に切り替える場合には、エレベーターの設置現場に出向いた保守技術者により、その保守技術者が所持する鍵によって操作可能となる保守スイッチ（保守点検モード切り替えスイッチ）を操作することで、行うようにしていた（特許文献１を参照）。
【特許文献１】特開２０００−３５５４７１号公報（段落番号００１６〜段落番号００４１、図１）
【発明の開示】
【発明が解決しようとする課題】
【０００３】
上述した特開２０００−３５５４７１号公報に記載のエレベーターの保守点検システムでは、エレベーターの設置現場に出向いた保守技術者が所持するところの鍵が、盗難若しくは紛失などにより第三者に渡ってしまった場合に、その第三者により、その鍵を用いて、保守スイッチ（保守点検モード切り替えスイッチ）が悪戯などで操作されてしまい、エレベーターの運転が通常運転から保守点検運転に切り替えられてしまうという問題があった。
【０００４】
本発明は、上述した問題点に鑑みてなされたもので、その目的は、悪戯などで通常運転から保守点検運転に切り替えられるのを防止できるエレベーターの保守点検システムを提供するにある。
【課題を解決するための手段】
【０００５】
上記目的は、エレベーターの乗りかごを昇降させる制御を少なくとも行う制御装置と、この制御装置を監視する監視装置と、この監視装置に通信回線を介して接続される遠隔監視施設に設置した端末装置と、エレベーター設置現場にて保守点検運転モードに切り替えるための第１切り替え手段と、遠隔監視施設にて保守点検運転モードに切り替えるための第２切り替え手段とを含むエレベーターの保守点検システムにおいて、前記第１切り替え手段による第１運転モード切り替え指令と前記第２切り替え手段による第２運転モード切り替え指令との両指令が、前記制御装置に入力された場合に、保守点検運転モードによる運転を実行する構成にすることにより、達成できる。
【発明の効果】
【０００６】
本発明によれば、エレベーター設置現場にて第１切り替え手段が操作されても、遠隔監視施設にて第２切り替え手段が操作されないと、保守点検運転モードによる運転が実行されないので、エレベーター設置現場での悪戯などによって、通常運転から保守点検運転に切り替えられることがなくなり、安全性にすぐれたエレベーターの保守点検システムを提供できる。
【発明を実施するための最良の形態】
【０００７】
以下、本発明に係るエレベーターの保守点検システムの一実施形態を図面に基づいて説明する。図１は、本発明の一実施形態を示し、エレベーターの保守点検システム全体の機能ブロック図である。図２は、本発明の一実施形態を示し、エレベーターの保守点検システムに係わる端末装置の操作表示画面図である。図３は、本発明の一実施形態に係わるエレベーターの保守点検システムを用いた保守作業手順を示すフローチャートである。図４は、本発明の他実施形態に係わるエレベーターの保守点検システムを用いた保守作業手順を示すフローチャートである。
【０００８】
図１に示すエレベーターの保守点検システムは、エレベーター１の昇降路２内に設置した乗りかご３を昇降させる制御を行う制御装置４（制御盤）と、この制御装置４を監視する監視装置５と、この監視装置５に通信回線６を介して接続される遠隔監視施設７内に設置した端末装置８と、エレベーター１の設置現場にて保守点検運転モードに切り替えるための第１切り替え手段９と、遠隔監視施設７にて保守点検運転モードに切り替えるための第２切り替え手段１０とを含み、第１切り替え手段９による第１運転モード切り替え指令と第２切り替え手段１０による第２運転モード切り替え指令との両指令が、制御装置４に入力された場合に、保守点検運転モードによる運転を実行する構成になっている。ここで、遠隔監視施設７とは、監視センター若しくはエレベーター保守会社のサービス拠点となる事務所などをいう。
【０００９】
第１切り替え手段９は、乗りかご３内に設けた保守点検モード切り替えスイッチ１１の操作をオンすることで、第１運転モード切り替え指令が、制御装置４に入力される構成としてある。第２切り替え手段１０は、遠隔監視施設７に設置した端末装置８を操作することで、第２運転モード切り替え指令が、監視装置５を介して制御装置４に入力される構成としてある。
【００１０】
乗りかご３内の側壁には、図１に示すように、エレベーター運転盤１２（乗りかご内操作盤）及びスイッチボックス１３が設けられている。スイッチボックス１３内には、保守点検モード切り替えスイッチ１１が設置されている。スイッチボックス１３の上面開口には、施錠装置を備えた開閉蓋（図示せず）が設けられている。エレベーター１の通常運転状態時には、スイッチボックス１３の上面開の開閉蓋は、閉じられており、しかも、施錠装置により開かないようにしてある。保守点検モード切り替えスイッチ１１は、スイッチボックス１３における開閉蓋の施錠装置に、エレベーター設置現場に出向く保守技術者Ａが常時所持する鍵１４をセットすることにより、その開閉蓋を開いた状態にすることで、オンオフの操作をすることができるようにしてある。図１において、符号１５、１５Ａ、１５Ｂ、１５Ｃは、エレベーター１の各乗り場を、符号１６は、エレベーター１の設置現場に出向く保守技術者Ａが所持する携帯電話１６を、符号Ｂは、遠隔監視施設７内に勤務して端末装置８を操作するところの保守技術者を、それぞれ示している。
【００１１】
制御装置４及び監視装置５は、図１に示すように、昇降路２内にて縦方向に並べて設置されている。制御装置４は、乗りかご３を昇降させる制御を行うと共に、保守点検モード切り替えスイッチ１１の設定状態（オンオフ状態）を取り込み格納する機能及び遠隔監視施設７の端末装置８から監視装置５を介して送信されてくる第２運転モード切り替え指令を取り込み格納する機能を有している。監視装置５は、通信回線６を介して遠隔監視施設の端末装置８との間で、各種データの信号を送受信することができる。通信回線６は、電話回線などの有線回線若しくはインターネットなどの無線回線が用いられている。
【００１２】
遠隔監視施設の端末装置８には、エレベーター１に関する様々なデータ、例えば、エレベーター１の製造番号及び機種、監視装置５の設置場所の電話番号などが格納されている。端末装置８には、図２に示すような、操作表示画面１７が表示される。操作表示画面１７は、図２に示すように、第２切り替え手段１０を構成するところの設定釦部１７Ａ及び解除釦部１７Ｂと、操作表示画面１７を閉じさせる閉釦部１７Ｃと、「保守点検モードを設定します。保守点検モードにするには『設定』、保守点検モードを解除するには『解除』ボタンを押してください。」という文字表示部１７Ｄとからなっている。
【００１３】
制御装置４は、乗りかご３内に設けた保守点検モード切り替えスイッチ１１のオン状態を第１運転モード切り替え指令として制御装置４に格納され、しかも、端末装置８における操作表示画面１７の設定釦部１７Ａを押すことにより遠隔監視施設７の端末装置８から監視装置５を介して送信されてくる第２運転モード切り替え指令が制御装置４に格納された場合にのみ、保守点検運転モードによる運転で乗りかご３を昇降させるように制御している。したがって、第１運転モード切り替え指令のみが制御装置４に格納された状態若しくは第２運転モード切り替え指令のみが制御装置４に格納された状態では、保守点検運転モードによる運転で乗りかご３が昇降させられることがない。
【００１４】
上記一実施形態のエレベーターの保守点検システムを用いた保守作業手順を、図３に基づいて、次に、詳説する。
【００１５】
まず、始めに、保守技術者Ａは、エレベーター保守会社のサービス拠点の事務所などからエレベーター１の設置現場に出向き、各乗り場１５、１５Ａ、１５Ｂ、１５Ｃのうちの、任意の乗り場（本実施形態では、乗り場１５Ａ）から、図３の手順Ｓ１に示すように、乗りかご３を呼び寄せて、その乗りかご３内に乗り込む。
【００１６】
次いで、保守技術者Ａは、乗りかご３内に乗り込んだならば、図３の手順Ｓ２に示すように、乗りかご３内のスイッチボックス１３の開閉蓋を保守技術者Ａが所持する鍵１４によって開ける。
【００１７】
次いで、スイッチボックス１３の開閉蓋を開けたならば、図３の手順Ｓ３に示すように、スイッチボックス１３内に設置されている保守点検モード切り替えスイッチ１１を、保守技術者Ａにより、オン状態にする。このオン状態は、第１運転モード切り替え指令として制御装置４に入力されて、その制御装置４に格納される。
【００１８】
次いで、保守技術者Ａは、保守点検モード切り替えスイッチ１１をオン状態にしたならば、図３の手順Ｓ４に示すように、携帯電話１６によって、遠隔監視施設７であるエレベーター保守会社の事務所内に勤務する保守技術者Ｂに、保守点検モード切り替えの依頼、すなわち、第２運転モード切り替え指令の送信の依頼をする。
【００１９】
次いで、図３の手順Ｓ５に進み、遠隔監視施設７内の保守技術者Ｂは、図２に示す端末装置８における操作表示画面１７の設定釦部１７Ａを押すことで、第２運転モード切り替え指令の監視装置５への送信を、換言すれば、遠隔監視施設７であるエレベーター保守会社の事務所内から保守点検モードの切り替え許可信号の送信を、実行する。遠隔監視施設７の端末装置８から監視装置５に送信されてきた第２運転モード切り替え指令は、制御装置４に入力され、その制御装置４に格納される。
【００２０】
次いで、第２運転モード切り替え指令が制御装置４に入力されると、既に、第１切り替え手段９による第１運転モード切り替え指令が制御装置４に入力されているので、保守点検運転モードでエレベーター１が運転されて、保守技術者Ａによる所定の保守点検作業が、図３の手順Ｓ６に示すように、行われる。保守技術者Ａによる所定の保守点検作業が完了したならば、図３の手順Ｓ7に進む。
【００２１】
次いで、図３の手順Ｓ７では、保守技術者Ａが保守点検モード切り替えスイッチ１１をオフ状態にする。その後、保守技術者Ａは、乗りかご３内のスイッチボックス１３の開閉蓋を閉じて、その開閉蓋を鍵１４により、図３の手順Ｓ８に示すように、施錠する。
【００２２】
次いで、スイッチボックス１３の開閉蓋を施錠したならば、図３の手順Ｓ９に進み、保守技術者Ａは、携帯電話１６によって、所定の保守点検作業が完了した旨の連絡を、遠隔監視施設７内に勤務する保守技術者Ｂに行う。
【００２３】
次いで、遠隔監視施設７内に勤務する保守技術者Ｂは、保守技術者Ａからの、所定の保守点検作業が完了した旨の連絡を受けたならば、図３の手順Ｓ１０に進み、図２に示す端末装置８における操作表示画面１７の解除釦部１７Ｂを押すことで、遠隔監視施設７の端末装置８から監視装置５に保守点検モード解除指令を送信して、制御装置４に格納された第２運転モード切り替え指令を消去させることにより、エレベーター１の運転を保守点検運転から通常運転に復帰させる。
【００２４】
以上のように、上記一実施形態のエレベーターの保守点検システムによれば、盗難若しくは紛失などにより第三者に渡ってしまった保守技術者Ａの鍵１４を用いて、その第三者がイッチボックス１３の開閉蓋を開き、保守点検モード切り替えスイッチ１１を悪戯で操作しても、遠隔監視施設７の端末装置８からの第２運転モード切り替え指令が制御装置４に入力されていないので、エレベーター１の運転が通常運転から保守点検運転（保守点検運転モード）に切り替えられるのを防止できるため、エレベーター１を利用する乗客の安全を確保できる。また、上記一実施形態のエレベーターの保守点検システムによれば、エレベーター設置現場に出向いた保守技術者Ａが保守点検モード切り替えスイッチ１１を操作して第１運転モード切り替え指令を制御装置４に入力させた後、保守技術者Ａが所持する携帯電話１６により、遠隔監視施設７内に勤務する保守技術者Ｂに対して、第２運転モード切り替え指令を監視装置５に送信するように依頼するようにしており、その依頼を受けた際に、保守技術者Ａ本人であるか否かを遠隔監視施設７内の保守技術者Ｂが確認することができるので、第三者の悪戯によるエレベーター1１の保守点検運転を阻止できる。
【００２５】
次に、本発明の他実施形態のエレベーターの保守点検システムを説明する。上記一実施形態のエレベーターの保守点検システムと他実施形態のエレベーターの保守点検システムとは、第１切り替え手段９を、前者が「保守点検モード切り替えスイッチ１１の操作をオンすることで、第１運転モード切り替え指令が制御装置４に入力される」構成としているのに対して、後者が「エレベーター運転盤１２を特殊操作することで、第１運転モード切り替え指令が制御装置４に入力される」構成とするようにしている点と、制御装置４を、前者が「保守点検モード切り替えスイッチ１１の設定状態（オンオフ状態）を取り込み格納する機能を有する」構成としているのに対して、後者が「エレベーター運転盤１２の特殊操作の状態を取り込み格納する機能を有する」構成としている点で相違しており、他の点では両者を同一としてある。なお、本発明の他実施形態のエレベーターの保守点検システムにおいては、エレベーター運転盤１２の行く先登録釦若しくはドア開閉釦を、例えば、特定の順番で押す操作のことを、エレベーター運転盤１２の特殊操作と称している。
【００２６】
上記他実施形態のエレベーターの保守点検システムを用いた保守作業手順を、図４に基づいて、次に、詳説する。
【００２７】
まず、始めに、保守技術者Ａは、エレベーター保守会社のサービス拠点の事務所などからエレベーター１の設置現場に出向き、各乗り場１５、１５Ａ、１５Ｂ、１５Ｃのうちの、任意の乗り場（本実施形態では、乗り場１５Ａ）から、図４の手順Ｓ１１に示すように、乗りかご３を呼び寄せて、その乗りかご３内に乗り込む。
【００２８】
次いで、保守技術者Ａは、乗りかご３内に乗り込んだならば、図４の手順Ｓ１２に進み、乗りかご３内のエレベーター運転盤１２の行く先登録釦若しくはドア開閉釦を特定の順番で押すこと（特殊操作）により、第１運転モード切り替え指令を、制御装置４に入力させて、その制御装置４に格納される（保守点検モード切り替え）。
【００２９】
次いで、保守技術者Ａは、エレベーター運転盤１２を特殊操作したならば、図４の手順Ｓ１３に示すように、携帯電話１６によって、遠隔監視施設７であるエレベーター保守会社の事務所内に勤務する保守技術者Ｂに、保守点検モード切り替えの依頼、すなわち、第２運転モード切り替え指令の送信の依頼をする。
【００３０】
次いで、遠隔監視施設７内の保守技術者Ｂは、図２に示す端末装置８における操作表示画面１７の設定釦部１７Ａを押すことで、第２運転モード切り替え指令の監視装置５への送信を、換言すれば、遠隔監視施設７であるエレベーター保守会社の事務所内から保守点検モードの切り替えを、図４の手順Ｓ１４に示すように、実行する。遠隔監視施設７の端末装置８から監視装置５に送信されてきた第２運転モード切り替え指令は、制御装置４に入力されて、その制御装置４に格納される。
【００３１】
次いで、第２運転モード切り替え指令が制御装置４に入力されると、既に、第１切り替え手段９による第１運転モード切り替え指令が制御装置４に入力されているので、保守点検運転モードでエレベーター１が運転されて、保守技術者Ａによる所定の保守点検作業が、図４の手順Ｓ１５に示すように、行われる。保守技術者Ａによる所定の保守点検作業が完了したならが、図４の手順Ｓ１６に進む。
【００３２】
次いで、図４の手順１６では、保守技術者Ａがエレベーター運転盤１２を特殊操作して制御装置４に格納された第１運転モード切り替え指令を消去する。その後、保守技術者Ａは、図４の手順Ｓ１７に示すように、携帯電話１６によって、所定の保守点検作業が完了した旨の連絡を、遠隔監視施設７内に勤務する保守技術者Ｂに行う。
【００３３】
次いで、遠隔監視施設７内の保守技術者Ｂは、保守技術者Ａからの、所定の保守点検作業が完了した旨の連絡を受けたならば、図４の手順Ｓ１８に進み、図２に示す端末装置８における操作表示画面１７の解除釦部１７Ｂを押すことで、遠隔監視施設７の端末装置８から監視装置５に保守点検モード解除指令を送信して、制御装置４に格納された第２運転モード切り替え指令を消去させることにより、エレベーター１の運転を保守点検運転から通常運転に復帰させる。
【００３４】
以上のように、上記他実施形態のエレベーターの保守点検システムによれば、エレベーター運転盤１２を特殊操作方法（エレベーター運転盤１２の行く先登録釦若しくはドア開閉釦を押す特定の順番）が第三者に知れ渡ってしまい、その第三者によって、悪戯でエレベーター運転盤１２が特殊操作されても、遠隔監視施設７の端末装置８からの第２運転モード切り替え指令が制御装置４に入力されていないので、エレベーター１の運転が通常運転から保守点検運転（保守点検運転モード）に切り替えられることがなく、エレベーター１を利用する乗客の安全を確保できると共に、エレベーター設置現場に出向く保守技術者Ａは、鍵１４を所持しなくても、エレベーター１の保守点検作業を実行させることができる。
【００３５】
上記両実施形態においては、第２切り替え手段１０を、遠隔監視施設７に設置した端末装置８を操作することで、第２運転モード切り替え指令が監視装置５を介して制御装置４に入力される構成としているが、これに限定されない。第２切り替え手段１０は、保守点検日に、遠隔監視施設７に設置した端末装置８から第２運転モード切り替え指令が、監視装置５を介して制御装置４に自動的に入力される構成とするようにしてもよい。第１切り替え手段９を、エレベーター運転盤１２を特殊操作することで、第１運転モード切り替え指令が制御装置に入力される構成とし、しかも、第２切り替え手段１０を、保守点検日に、遠隔監視施設７に設置した端末装置８から第２運転モード切り替え指令が、通信回線６及び監視装置５を介して制御装置４に自動的に入力される構成とすれば、エレベーター１の設置現場に出向く保守技術者Ａは、鍵１４及び携帯電話１６を所持しなくとも、エレベーター１の保守点検運転を実行させることができ、便利である。
【図面の簡単な説明】
【００３６】
【図１】本発明の一実施形態を示し、エレベーターの保守点検システム全体の機能ブロック図である。
【図２】本発明の一実施形態を示し、エレベーターの保守点検システムに係わる端末装置の操作表示画面図である。
【図３】本発明の一実施形態に係わるエレベーターの保守点検システムを用いた保守作業手順を示すフローチャートである。
【図４】本発明の他実施形態に係わるエレベーターの保守点検システムを用いた保守作業手順を示すフローチャートである。
【符号の説明】
【００３７】
１    エレベーター
２    昇降路
３    乗りかご
４    制御装置
５    監視装置
６    通信回線
７    遠隔監視施設
８    端末装置
９    第１切り替え手段
１０  第２切り替え手段
１１  保守点検モード切り替えスイッチ
１２  エレベーター運転盤
１３  スイッチボックス
１４  鍵
１５、１５Ａ、１５Ｂ、１５Ｃ  乗り場
１６  携帯電話
１７  操作表示画面
１７Ａ  設定釦部
１７Ｂ  解除釦部
１７Ｃ  閉釦部
１７Ｄ  文字表示部
Ａ、Ｂ  保守技術者
【図１】
2005306494.tif 000003
【図２】
2005306494.tif 000004
【図３】
2005306494.tif 000005
【図４】
2005306494.tif 000006